(57)【特許請求の範囲】
【請求項１】
平面方形状であって四周は閉じた側壁によって形成され、側壁の外面には上部フランジ、下部フランジ及び中間フランジがそれぞれ水平に設けられ、四隅には上部フランジと下部フランジを連結する縦方向の補強リブが設けられており、短手方向の側壁の前記補強リブの間において下部フランジを切り欠くとともに、側壁を下端から上部フランジと中間フランジとの中間高さまで凹まして手掛け用凹部を形成してなり、仕切壁によって内部に複数の区室を形成したコンテナーであって、
前記区室を、ジョッキの容器部を収納する平面八角形状の容器収納室と前記容器収納室の一辺を連通させたジョッキの取っ手を収納する長方形状の取っ手収納室とによって形成し、各区室は前記容器収納室の斜め方向の一辺と長手方向の側壁に直交する方向の二辺とを共通にして、取っ手収納室の向きが交互に逆になるように順次長手方向の側壁に沿って形成してなり、各区室は短手方向の中央において対称に形成するとともに、短手方向の側壁に接する取っ手収納室は中央に向いており、前記取っ手収納室に接する側壁が手掛け用凹部を形成していることを特徴とするジョッキコンテナー。
【請求項２】
容器収納室の底部上面に大きさの異なる複数のグラスの口部を嵌合させるグラス嵌合部を形成したことを特徴とする請求項１記載のジョッキコンテナー。
【請求項３】
グラス嵌合部は、グラスの口部を嵌合する円環状溝としたことを特徴とする請求項２に記載のジョッキコンテナー。
【請求項４】
グラス嵌合部は、グラスの口部を嵌合する段部を外周面に形成した円形状の段状凹部としたことを特徴とする請求項２に記載のジョッキコンテナー。
【請求項５】
グラス嵌合部は、グラスの口部を嵌合する段部を内周面に形成した環状溝としたことを特徴とする請求項２に記載のジョッキコンテナー。
【請求項６】
グラス嵌合部は、グラスの口部を嵌合する凸リブを環状に形成したことを特徴とする請求項２に記載のジョッキコンテナー。
【発明の詳細な説明】
【０００１】
【発明の属する技術分野】
この発明は、ジョッキばかりでなく、グラスの保管、運搬にも好適なジョッキコンテナーに関する。
【０００２】
【従来の技術】
グラスを保管、運搬するコンテナーは、内部に縦横に設けた格子状の仕切壁で区室を形成し、この区室にグラスを収納しているが、ジョッキには取っ手が付いているから、グラスを保管、運搬するコンテナーと同じ仕切構造のコンテナーを使用することができない。そこで、従来、ジョッキを保管、運搬するには、専用のコンテナーが使用されている。
【０００３】
このようなジョッキ専用のコンテナーとして、例えば、図９に示すコンテナー１は、平面方形状の内部に短手方向の中央部に側壁と平行な仕切壁２を設け、この仕切壁２の両側に略凸形の区室３を交互に逆向きに設けてなる。区室３は、ジョッキの容器部を収納する略台形状の容器収納室３ａと、前記容器収納室３ａの先端部に連通している取っ手を収納する取っ手収納室３ｂとからなる。
【０００４】
区室３は、仕切壁２を挟んで対称に形成されている。ジョッキを収納するときは、取っ手を取っ手収納室３ｂに収納することによってジョッキの動きを押さえることができる。即ち、ジョッキの取っ手を取っ手収納室３ｂに収納したときに最もガタが少ないように、ジョッキの大きさに合わせたクリアランスで区室３の大きさが形成されている。
【０００５】
【発明が解決しようとする課題】
収納したジョッキが取っ手方向に押圧されたときは、仕切壁の２つの面に当接するから衝撃は分散されるものの、取っ手方向とは反対方向や直交する方向に押圧されたときは、衝撃が一点に集中しジョッキや仕切壁を破損するおそれがあった。また、ジョッキ専用のコンテナーであってグラスを収納することは予定されていない。従って、ジョッキよりも小さいグラスを収納すると、仕切壁との間の隙間が大きすぎて運搬中に激しく移動してグラスを破損するおそれがあった。
【０００６】
そこで、この発明は、ジョッキとグラスの両方を保管、運搬することができるジョッキコンテナーを提供するものである。
【０００７】
【課題を解決するための手段】
この発明は上記目的を達成するために次のような構成とした。即ち、この発明のジョッキコンテナーは、平面方形状であって四周は閉じた側壁によって形成され、側壁の外面には上部フランジ、下部フランジ及び中間フランジがそれぞれ水平に設けられ、四隅には上部フランジと下部フランジを連結する縦方向の補強リブが設けられており、短手方向の側壁の前記補強リブの間において下部フランジを切り欠くとともに、側壁を上部フランジと中間フランジとの中間高さまで凹まして手掛け用凹部を形成してなり、仕切壁によって内部に複数の区室を形成した平面方形状のコンテナーであって、
前記区室を、ジョッキの容器部を収納する平面八角形状の容器収納室と前記容器収納室の一辺を連通させたジョッキの取っ手を収納する長方形状の取っ手収納室とによって形成し、各区室は前記容器収納室の斜め方向の一辺と長手方向の側壁に直交する方向の二辺とを共通にして、取っ手収納室の向きが交互に逆になるように順次長手方向の側壁に沿って形成してなり、各区室は短手方向の中央において対称に形成するとともに、短手方向の側壁に接する取っ手収納室は中央に向いており、前記取っ手収納室に接する側壁が手掛け用凹部を形成していることを特徴とする。
【０００８】
また、底部上面にグラス嵌合部を形成し、前記グラス嵌合部はグラスの口部を嵌合する円環状溝としてもよいし、グラスの口部を嵌合する段部を外周面に形成した円形状の段状凹部としてもよいし、グラスの口部を嵌合する段部を内周面に形成した環状溝としてもよいし、グラスの口部の内周面または外周面が嵌合する凸リブを環状に設けてもよい。
【０００９】
【発明の実施の形態】
この発明を以下に図示する実施形態に基づいて詳細に説明する。コンテナー１０は、平面方形状であって四周は閉じた側壁１１によって形成され、側壁１１の外面には上部フランジ１３、下部フランジ１５及び上部フランジの下方に中間フランジ１７がそれぞれ水平に設けられ、四隅近傍には前記上部フランジ１３と下部フランジ１５を連結する縦方向の補強リブ１９が設けられている。下部フランジ１５は短手方向の側壁において、前記補強リブ１９，１９の間が切り欠かれている。
【００１０】
コンテナー１０の内部には仕切壁２０が設けられており、底部２１は下部フランジ１５よりも下方に突出していて、コンテナー１０を交互に積み重ねたとき、上段のコンテナー１０の底部２１が下段のコンテナー１０の上面開口部に嵌合し、上段のコンテナー１０の下部フランジ１５が下段のコンテナー１０の上部フランジ１３に載置するように形成されている。
【００１１】
側壁１１のうち短手方向において、図３に示すように、補強リブ１９，１９の間及び上部フランジ１３と中間フランジ１７との中間高さにおける側壁１１ａを内方に凹ますとともに、前記側壁１１ａの上端部と中間フランジ１７との高さにおいて外方に突出した膨出部２７を形成し、前記側壁１１ａと膨出部２７との間に運搬時に指を挿入する手掛け用凹部２４を形成してなる。
【００１２】
仕切壁２０によって形成される区室２３は略フラスコ形状をなし、ジョッキの容器部を収納する八角形状の容器収納室２３ａと、前記容器収納室２３ａを形成する一辺を切り欠いて側壁方向において対向する容器収納室２３ａとの間に連通させて形成した取っ手収納室２３ｂとからなる。即ち、長手方向の側壁に沿って略フラスコ形状の区室２３を向きが交互に逆になるように形成し、取っ手収納室２３ｂは側壁方向において対向する容器収納室２３ａの間に形成されている。
【００１３】
さらに詳述すると、図２において、隣接する容器収納室２３ａを、八角形をなす斜め方向の一辺２０ａを連通させて順次長手方向の側壁に沿ってジグザグに形成し、取っ手収納室２３ｂを長手方向において対向する容器収納室２３ａの垂直辺２０ｂの間に形成してなる。区室２３は、短手方向の中央において対称に形成されている。
【００１４】
一方、容器収納室２３ａにおける底部２１の上面には、グラス嵌合部２５が設けられている。図４はグラス嵌合部２５を示すコンテナー１０の半分の平面図、図５及び図６は同じく要部断面図である。図４の左半分は、グラスの口部を嵌合する複数の円環状溝を形成した場合であって、図５に明らかなように、円環状溝２５ａの内側に小径の円環状溝２５ｂを形成し、円環状溝２５ｂの内側に円形凹部２５ｃを形成してなる。中央部の小孔は水抜き孔２６である。前記円形凹部２５ｃは円環状溝としてもよい。前記円環状溝２５ａ、円環状溝２５ｂまたは円形凹部２５ｃに適合するグラスの口部を嵌合して収納すれば、位置決めされて移動することがないから、安全に保管、運搬することができる。
【００１５】
また、図４の右半分は、グラスの口部を嵌合する段部を外周面に形成した円形状の段状凹部を形成した場合であって、図６に明らかなように、内側に向かって傾斜するように段２５ｄの内側に小径の段２５ｅを形成し、さらに段２５ｅの内側に円形凹部２５ｆを形成したものである。中央部の小孔は水抜き孔２６である。前記段２５ｄ，２５ｅまたは段２５ｆのそれぞれに適合するグラスの口部を嵌合させて収納すれば、位置決めされて移動することがないから、安全に保管、運搬することができる。
【００１６】
また、グラス嵌合部２５は、平面図は省略したが図７に示す要部断面図のように、内周面を複数の段状に形成した環状溝２５ｇとしてもよい。このように内周面を段状とした環状溝２５ｇの場合には、前記段の内側を収納するグラスの口部に嵌合させればよい。
【００１７】
また、グラス嵌合部２５は、図８に示す要部断面図のように、凸部２５ｈにより形成してもよい。凸部２５ｈは、１又は複数の環状の凸部であってもよく、独立した凸部を適宜の間隔で環状に設けたものであってもよい。そして、前記凸部２５ｈは、グラスの内周面に嵌合するか外周面に嵌合するように設ければよい。
【００１８】
尚、上記実施形態のグラス嵌合部２５において、円環状溝の溝数及び段状凹部の段数等は、適宜決定すればよく、図示する実施形態に限定されるものではない。また、底部２１は、実施形態では板状構造の底部について説明したが、格子状に設けたリブ構造の底部であってもよい。底部がリブ構造の場合には、上記円環状溝、段状凹部の一部を前記底部リブの上面に設けるか、または上記凸リブを底部リブの上面に設ければよく、全体として円環状を形成すればよい。
【００１９】
【発明の効果】
上記説明から明らかなように、この発明に係るジョッキコンテナーは、ジョッキの容器収納室を平面八角形に形成したから、衝撃は２つの面で受けることになり衝撃が分散されてジョッキやコンテナーの仕切壁が破損し難くなる。また、底部上面には、円環状溝、段状凹部や凸リブによるグラス嵌合部を形成したから、径の異なるグラスを収納することができ、コンテナーを有効に利用することができる。
【図面の簡単な説明】
【図１】この発明の実施形態を示すコンテナーの斜視図である。
【図２】同じく平面図である。
【図３】図１のＡ−Ａ線縦断面図である。
【図４】底面を示す要部平面図である。
【図５】図４の左半分の底部を示す要部断面図である。
【図６】図４の右半分の底部を示す要部断面図である。
【図７】他の実施形態の底部を示す要部断面図である。
【図８】他の実施形態の底部を示す要部断面図である。
【図９】従来のコンテナーの斜視図である。
【符号の説明】
１０：コンテナー
１１：側壁
１３：上部フランジ
１５：下部フランジ
１７：中間フランジ
１９：補強リブ
２０：仕切壁
２１：底部
２３：区室
２３ａ：容器収納室
２３ｂ：取っ手収納室
２５：グラス嵌合部
２７：膨出部
【図１】
0004421064.tif 000002
【図２】
0004421064.tif 000003
【図３】
0004421064.tif 000004
【図４】
0004421064.tif 000005
【図５】
0004421064.tif 000006
【図６】
0004421064.tif 000007
【図７】
0004421064.tif 000008
【図８】
0004421064.tif 000009
【図９】
0004421064.tif 000010